(57)【特許請求の範囲】
【請求項１】
紙葉類束が一括して供給された供給部から１枚ずつ取り出す取出手段と、この取出手段によって取り出された紙葉類を搬送する搬送手段と、この搬送手段によって搬送された前記紙葉類を判別する紙葉類判別手段と、この紙葉類判別手段による判別結果に基づいて集積又は結束する集積・結束手段と、を有する紙葉類処理装置であって、
前記紙葉類の種類を区別する券種番号及び当該紙葉類の券サイズを操作員が設定可能な操作表示部と、
この操作表示部と通信可能に接続され、前記紙葉類処理装置を制御する主制御部と、
この主制御部と接続され、前記搬送手段を制御する搬送制御部と、
前記集積・結束手段を制御する集積・結束制御部と、
前記搬送手段及び前記集積・結束手段が動作するための動作用パラメータを記憶する動作用パラメータ記憶部と、
前記紙葉類の券サイズが最小である最小券種から最大である最大券種の範囲で算出された前記動作用パラメータを前記券サイズに対応して記憶するサイズ用パラメータ記憶部と、
を備え、
前記操作表示部は、前記操作員によって入力された前記券種番号及びこの券種番号の券サイズを前記主制御部に送信し、
前記主制御部は、前記操作表示部から受信した券種番号及び前記券サイズを前記搬送制御部及び前記集積・結束制御部に送信し、
前記搬送制御部又は前記集積・結束制御部は、受信した前記券種番号及びこの券種番号の券サイズに基づく前記動作用パラメータを、前記搬送制御部又は前記集積・結束制御部ごとに設けられた前記サイズ用パラメータ記憶部から読み出し、前記動作用パラメータ記憶部の当該券種番号が示すエリアに記憶するようにしたことを特徴とする紙葉類処理装置。
【発明の詳細な説明】
【技術分野】
【０００１】
本発明は、有価証券などの紙葉類を処理する紙葉類処理装置に関し、特に処理する紙葉類の券種によるパラメータの自動設定を備えた紙葉類処理装置に関する。
【背景技術】
【０００２】
有価証券などの紙葉類を処理する紙葉類処理装置は、処理単位に応じて一括して投入された紙葉類束（例えば、１０００枚）から取出装置によって紙葉類を１枚ずつ取出して搬送し、紙葉類判別装置によって当該紙葉類の品質（形状、損傷、印刷など）を判別し、正常な券（以下、正券と称する。）、不良券（以下、損券と称する。）及び搬送異状券や２枚取り券などの排除券に区分して集積装置によって一次集積し、その一次集積された枚数が所定の枚数（例えば１００枚）に達した場合には、紙帯などで結束する装置である。
【０００３】
上記紙葉類はその種類（以下、券種と称する。）によって、紙葉類の券サイズ（券幅、券長など）が異なる場合が多く、紙葉類処理装置で処理する前に処理する券種に応じて各部が動作するために必要なパラメータを設定する必要がある。
【０００４】
従来の紙葉類処理装置では、取り扱う券種が追加された場合、例えば、追加券種の券サイズに伴う各部機構を駆動するパルスモータのパルス数を設定する必要がある。具体的には、供給部、集積部、結束部、ラベル部（ラベルを貼り付ける部分）などが含まれる。
【０００５】
供給部では、一括して供給する紙葉類束の中心が搬送中心になるように供給部を構成する券幅・券長ガイドの位置が設定される。
【０００６】
集積部では、集積する紙葉類のサイズに合わせて集積される集積庫を構成する券幅・券長ガイドの位置が設定される。
【０００７】
結束部では、集積される紙葉類のサイズに応じて紙帯を熱接着する際のヒータ動作開始時間の設定及び紙帯のフィード時間が設定される。
【０００８】
ラベル部では、上記結束部で結束されて生成された把に所定の印字が施されたラベルを貼り付ける際のラベルの位置（スイーパ位置）が紙葉類のサイズに応じて設定される。
【０００９】
その他、搬送部では、搬送される紙葉類の長さが設定され、リジェクト集積部では、リジェクト集積される紙葉類の券長にあわせて集積ガイド位置が設定される。
【００１０】
従来の紙葉類処理装置では、上述した各種設定値（パラメータ）の設定にあたり以下の手順が必要である。  
（１）新たに取り扱う券種に番号（券種番号）を付与する。  
（２）券種番号によって違う動作を行わなければならないデバイスパラメータの値を算出する（例えば２６箇所）。  
（３）各ＣＰＵ端末を接続し、２６箇所のデータを書き換える。  
上記（１）〜（３）の設定後、微調整を行う。
【００１１】
上述したこれらの従来の方法は、追加券種に合わせて各デバイスパラメータを個別に設定する必要があった。この種のパラメータの設定を、実際に使用する紙幣を用いて得られるデータを用いて、定ピッチ、定ギャップを自動的に設定する方法が知られている（例えば、特許文献１参照。）。
【特許文献１】特開２００３−１０９０６１号公報  （第６―７頁、図１）
【発明の開示】
【発明が解決しようとする課題】
【００１２】
しかしながら、上述したこれらの従来の方法は、追加券種時の対応が複雑で手間がかかるという課題が指摘されていた。
【００１３】
本発明は、上述した課題を解決するためになされたもので、取り扱う券種を追加する場合には、追加する券種番号に当該追加券種の券サイズを登録することによって上述した各種パラメータの設定を自動的に行う紙葉類処理装置を提供することを目的とする。
【課題を解決するための手段】
【００１４】
上記目的を達成するために、本発明の請求項１記載の紙葉類処理装置は、紙葉類束が一括して供給された供給部から１枚ずつ取り出す取出手段と、この取出手段によって取り出された紙葉類を搬送する搬送手段と、この搬送手段によって搬送された前記紙葉類を判別する紙葉類判別手段と、この紙葉類判別手段による判別結果に基づいて集積又は結束する集積・結束手段と、を有する紙葉類処理装置であって、前記紙葉類の種類を区別する券種番号及び当該紙葉類の券サイズを操作員が設定可能な操作表示部と、この操作表示部と通信可能に接続され、前記紙葉類処理装置を制御する主制御部と、この主制御部と接続され、前記搬送手段を制御する搬送制御部と、前記集積・結束手段を制御する集積・結束制御部と、前記搬送手段及び前記集積・結束手段が動作するための動作用パラメータを記憶する動作用パラメータ記憶部と、前記紙葉類の券サイズが最小である最小券種から最大である最大券種の範囲で算出された前記動作用パラメータを前記券サイズに対応して記憶するサイズ用パラメータ記憶部と、を備え、前記操作表示部は、前記操作員によって入力された前記券種番号及びこの券種番号の券サイズを前記主制御部に送信し、前記主制御部は、前記操作表示部から受信した券種番号及び前記券サイズを前記搬送制御部及び前記集積・結束制御部に送信し、前記搬送制御部又は前記集積・結束制御部は、受信した前記券種番号及びこの券種番号の券サイズに基づく前記動作用パラメータを、前記搬送制御部又は前記集積・結束制御部ごとに設けられた前記サイズ用パラメータから読み出し、前記動作用パラメータの当該券種番号が示すエリアに記憶するようにしたことを特徴とする。
【発明の効果】
【００１６】
本発明によれば、取り扱う券種を追加する場合には、追加する券種番号に当該追加券種の券サイズを登録することによって、紙葉類処理装置が動作する上で必要な各種パラメータの設定を自動的に行うことができる。
【発明を実施するための最良の形態】
【００１７】
以下、図面を参照して本発明の実施例を説明する。
【実施例１】
【００１８】
図１は、本発明の紙葉類処理装置１００の外観図である。図２は、図１に示す紙葉類処理装置１００の概略構成図である。図３は、供給部１の券幅ガイド及び券長ガイドの動作を説明する正面からみた斜視図である。図４は、図３を背面から見た斜視図である。以下、これらの図を参照しながら説明する。
【００１９】
紙葉類処理装置１００は、供給部１、取出部（取出手段）２、厚さ検知部Ｇ０、搬送部（搬送手段）３、紙葉類判別装置（紙葉類判別手段）４、集積部５（５ａ〜５ｅ）、結束部６（６ａ〜６ｅ）、把搬送部７（７ａ、７ｂ）、ラベル部８（８ａ）、把排出部９及び操作表示部１０などで構成される。
【００２０】
供給部１は、手前側券幅ガイド１ａ、奥側券幅ガイド１ｂ、券幅ガイドモータ１ｃ、先端側券長ガイド１ｄ、後端側券長ガイド１ｅ、券長ガイドモータ（図示しない）などで構成される。
【００２１】
供給部１に投入された紙葉類束Ｐｓは、指定された券種に基づき手前側券幅ガイド１ａ・奥側券幅ガイド１ｂの位置及び先端側券長ガイド１ｄ・後端側券長ガイド位置１ｅが設定される。
【００２２】
券幅ガイド位置は、指定された券種に基づいて券幅ガイドモータ１ｃが駆動し手前側券幅ガイド１ａと奥側券幅ガイド１ｂの間隔Ｗが設定される。この間隔Ｗは、券幅ガイドモータ１ｃを構成するパルスモータのパルス数が券種によって設定され、手前側券幅ガイド１ａ及び奥側券幅ガイド１ｂが搬送路中心に対して広がったり又は狭まったりする。従って、券種が追加された場合には、当該追加券種の券幅に応じて設定されるパルスモータのパルス数を算出し、後述する動作用パラメータ記憶部の券種番号に対応する番地に書き込む必要がある。
【００２３】
券長ガイド位置は、指定された券種に基づいて券長ガイドモータが駆動し、供給部１の先端側券長ガイド１ｄと後端側券長ガイド１ｅとの間隔Ｌが設定される。この間隔Ｌは、券長ガイドモータを構成するパルスモータのパルス数が券種によって設定され、先端側券長ガイド１ｄ及び後端側券長ガイド１ｅが設定されたホームポジション（基点）に対して搬送方向に広がったり狭まったりする。従って、券種が追加された場合には、当該追加券種のサイズに応じて設定されるパルスモータのパルス数を算出し、券幅ガイドモータのパルス数の設定と同様に、動作用パラメータ記憶部の券種番号に対応する番地に書き込む必要がある。このようにして設定された供給部１に投入された紙葉類束Ｐｓは、取出部２に送られる。
【００２４】
取出部２は、供給部１から送り出された紙葉類束Ｐｓをバックアッププレート２ａで受け、このバックアッププレート２ａを、駆動モータ（図示しない）を駆動して上昇させ、最上面の紙葉類Ｐを取出ロータ２ｂの取出位置まで上昇させる。
【００２５】
最上面の紙葉類Ｐが取出位置に到達すると、取出位置検知センサ（図示しない）によって最上面の紙葉類Ｐが検知され、取出ロータ２ｂが１回転するごとに最上面の紙葉類Ｐから１枚ずつ搬送部３に取り出される。従って、取り出された紙葉類Ｐはほぼ一定間隔で搬送路３に取り出されて搬送される。なお、上記バックアッププレート２ａの駆動モータ及び取出位置検知センサによって、最上面の紙葉類Ｐが取出位置にあるようにバックアッププレート２ａの位置が制御される。
【００２６】
取出ロータ２ｂによって取り出された紙葉類Ｐは、厚さ検知部Ｇ０によって紙葉類Ｐの厚さが検知され、判別される。この判別の結果、例えば２枚取りの場合には、搬送下流に配置されている紙葉類判別装置４による検知が正常に行われないために、Ｇ０リジェクト券集積装置５ｇに集積される。
【００２７】
搬送部（搬送手段）３は、搬送ベルト及び搬送ローラで構成され、取出ロータ２ｂによって取り出された紙葉類Ｐを挟持して搬送方向上流から下流に向かって搬送する。
【００２８】
紙葉類判別装置４は、下面判別装置４ａ及び上面判別装置４ｂなどから構成され、搬送部３の途中に配置され、搬送される紙葉類Ｐを判別する。当該紙葉類Ｐの判別の結果、操作員によって操作表示部１０から設定された指定券種と異なる場合又は判別不能券は、リジェクト券集積装置５ｆに集積される。
【００２９】
また、当該紙葉類Ｐの判別の結果、正常な券は集積部５に集積され、所定枚数（例えば、１００枚）に達すると結束部６に結束され把Ｈとなる。例えば、第１集積装置５ａに集積された紙葉類Ｐの集積枚数が１００枚に達すると第１結束装置６ａに渡され、紙葉類Ｐのサイズによって設定された長さの紙帯が送られ当該紙帯で結束され１００枚の紙葉類Ｐからなる把Ｈが形成される。第２集積装置５ｂ〜第５集積装置５ｅ及び第２結束装置６ｂ〜第５結束装置６ｅも同様に構成され同様の機能を有する。
【００３０】
このようにして形成された把Ｈは把搬送部７を構成するコンベア７ａに送られる。コンベア７ａに送られた把Ｈはリフタ７ｂに１把ずつ受け渡される。リフタ７ｂは１把毎に受取って上昇させ、ラベル部８に受け渡す。
【００３１】
ラベル部８は、把Ｈにラベルを貼り付けるための位置決めをするガイド、そのガイドに沿って取り揃えられた把Ｈに印刷したラベルを貼り付けるラベル貼付装置８ａなどで構成される。
【００３２】
ラベルが貼り付けられた把Ｈは把排出部（ディスチャージャ）９により装置外に排出される。
【００３３】
図５は、図２に示す紙葉類処理装置１００の券種パラメータの自動設定に関する部分のハードウェア構成を示すブロック図である。
【００３４】
操作表示部１０は操作表示ＣＰＵ１０ａ、キーボード、マウスなどの入力部及び表示部を備えたＰＣ（Personal Computer）で構成され、操作員によって操作される。操作員が通常動作モード又は保守動作モードなどを選択することにより紙葉類処理装置の動作を設定することができる。
【００３５】
通常動作モードは、紙葉類処理装置１００処理する紙葉類Ｐの情報を入力するモードで、操作員によって入力される。
【００３６】
保守モードは、紙葉類処理装置１００の動作を確認し、又は紙葉類処理装置１００が動作するために必要な紙葉類Ｐの媒体情報を入力するモードで、が保守員によって入力される。以下、保守モード時に当該追加券種の券種情報に基づいて券種パラメータが自動設定される場合について説明する。
【００３７】
操作表示ＣＰＵ１０ａは、主制御ＣＰＵ２０ａに接続される。本実施例ではＬＡＮ回線を用いて接続されるが、双方向通信が可能であれば、他の通信回線を用いて接続することも可能である。
【００３８】
操作員によって操作表示ＣＰＵ１０ａから入力された情報は、主制御ＣＰＵ２０ａに送信される。主制御ＣＰＵ２０ａは、搬送ＣＰＵ３０、結束ＣＰＵ４０及び後処理ＣＰＵ５０に接続される。本実施例では、回線効率を考慮し、ＡＲＣＮＥＴ回線を用いて高速に通信しているが、当該紙葉類処理装置１００の処理速度に応じた通信回線であればこれに限るものではない。
【００３９】
主制御ＣＰＵ２０ａは、操作表示ＣＰＵ１０ａから入力された券種情報に対応する媒体情報を上記搬送ＣＰＵ３０、集積・結束ＣＰＵ４０及び後処理ＣＰＵ５０に送信する。
【００４０】
搬送ＣＰＵ３０は、券幅ガイドモータ１ｃ及び券長ガイドモータ１ｆと接続され、また、券長データ３０ｂを記憶するメモリに対してアクセス可能である。従って、券種が設定されると、当該券種に応じて券幅ガイドモータ１ｃ及び券長ガイドモータ１ｆが駆動制御される。
【００４１】
また、券長データ３０ｂには、券種ごとの標準券長が記憶されており、券種が設定されると、当該券種の標準券長が読み出され、搬送部３に配置された通過センサの通過時間が標準券長の通過時間に対して所定の許容時間に入っているか判別される。
【００４２】
搬送ＣＰＵ３０はまた、共有メモリ３０ｂによる割込処理を介してＧ０−ＣＰＵ３１と接続される。Ｇ０−ＣＰＵ３１は、券長データ３１ａ及び厚み判定データ３１ｂに対してアクセス可能であり、搬送される紙葉類Ｐの２枚取り検知の判別を行う。
【００４３】
券長データ３１ａには、券種ごとの標準券長が記憶されており、券種が設定されると、当該券種の標準券長が読み出され、その標準券長から厚さ検知部Ｇ０での２枚取り検知を判別するための判別基準である厚み判定データが生成される。従って、この厚み判定データを超える２枚取り検知の長さが検知された場合には、リジェクト券としてＧ０リジェクト券集積装置５ｇに集積される。
【００４４】
結束ＣＰＵ４０は、集積装置５ａ〜５ｅを構成する券幅ガイドモータ５ａ１〜５ｅ１及び券長ガイドモータ５ａ２〜５ｅ２と接続され、また、結束装置６ａ〜６ｅを構成する熱接着用ヒータのヒータ動作開始時間６ａ１〜６ｅ１及び帯フィード時間６ａ２〜６ｅ２を記憶するメモリにアクセス可能である。従って、券種が設定されると、当該券種に応じて集積装置５ａ〜５ｅの券幅ガイドモータ５ａ１〜５ｅ１及び券長ガイドモータ５ａ２〜５ｅ２が駆動制御され紙葉類Ｐが集積される。
【００４５】
また、当該集積された１００枚紙葉類は、結束装置６ａ〜６ｅにおいて当該紙葉類の券種に応じて設定された紙帯を接着するためのヒータ動作開始時間６ａ１〜６ｅ１及び帯フィード時間６ａ１〜６ｅ１が設定され、これら設定された時間に応じて結束が行われる。
【００４６】
後処理ＣＰＵ５０は、スイーパモータ８ａ２と接続され、券長データ８ａ３にアクセス可能である。従って、券種が設定されると当該券種に応じた券長データ８ａ３が読み出され、この読み出された券長データ８ａ３に基づいてスイーパモータ８ａ２が駆動される。
【００４７】
図６は、本実施例に係る券種パラメータの自動設定に関し、券幅ガイドモータ１ｃのパラメータが設定される場合の説明図を示す。図７は、図６に示す券幅ガイドモータ１ｃのパラメータが設定された状態を示す図である。
【００４８】
最初に、操作員が操作表示ＣＰＵ１０ａに備えられた保守モード操作画面から自動設定メニューを選択する。
【００４９】
次に、操作員が券種番号、券サイズ（券幅×券長）を入力する。操作表示ＣＰＵ１０ａは、入力された券種番号、券サイズを主制御ＣＰＵ２０ａに送信する。図示した例では、券種番号１０に、券サイズ７０ｍｍ×１６０ｍｍの券種を設定する場合について説明している。
【００５０】
主制御ＣＰＵ２０ａは、受信した券種番号、券サイズを搬送ＣＰＵ３０、結束ＣＰＵ４０及び後処理ＣＰＵ５０に送信する。
【００５１】
搬送ＣＰＵ３０は、サイズ用パラメータエリアに保存されている券幅７０ｍｍの場合のパルス数３８５５を読み出し、動作用パラメータエリアの券種番号１０に書き込む。なお、券種番号１０にはそれ以前に券種番号１０として使用していたパルス数３３３５が保存されているが、その値を書き換えることになる。この結果、図７に示すように券種番号１０に対応するパルス数３８５５に設定される。
【００５２】
なお、この券幅に関するサイズ用パラメータエリアは、紙葉類処理装置で処理可能な最小券幅である５６ｍｍから最大券幅である９１ｍｍまで、１ｍｍ単位で設定できるように各券幅に対して券幅用パルスモータのパルス数が設定されている。
【００５３】
以上の操作によって券種番号１０の券幅ガイド位置のパラメータが設定される。
【００５４】
図８は、本実施例に係る券種パラメータの自動設定に関し、厚み判定データの券長に関するパラメータを設定する場合の説明図を示す。図９は、図８に示す厚み判定データのパラメータが設定された状態を示す図である。
【００５５】
操作員によって券種番号、券サイズ（券幅×券長）が入力されると、上述したように操作表示ＣＰＵ１０ａは、入力された券種番号、券サイズ７０ｍｍ×１６０ｍｍを主制御ＣＰＵ２０ａに送信する。
【００５６】
主制御ＣＰＵ２０ａは、受信した券種番号、券サイズを搬送ＣＰＵ３０に送信する。
【００５７】
搬送ＣＰＵ３０は、受信した券種番号、券サイズを共有メモリ３１に書き込む。
【００５８】
Ｇ０−ＣＰＵ３１は共有メモリ３１に書き込まれた券種番号及び券サイズから搬送方向の厚み検知範囲に関するカウント値を下式（１）に基づいて設定する。券の搬送速度が５ｍ／ｓのとき、紙葉類（券）の長さが１６０ｍｍの場合の通過時間Ｘｍｓは下式（２）より３２ｍｓとなる。  
１６０ｍｍ：Ｘｍｓ＝５０００ｍｓ：１０００ｍｓ・・・（１）
Ｘｍｓ＝３２ｍｓ・・・・・・・・・・・・・・・・・・（２）
この券長を測定精度１ｍｓでカウントするとその値は３２となる。  
ここで、許容値ΔＬを含めた一般式にすると下式（３）が得られる。  
Ｃｏｕｎｔ＝(長さ（ｍｍ）×２＋ΔＬ)／１０・・・・・（３）
ΔL＝５
Ｃｏｕｎｔ：式（２）で得られた通過時間に許容値ΔLを加え、さらに測定精度１ｍｓとした場合のカウント値。  
ΔL：許容値（ここでは５ｍｍと設定してある）
図８の券種番号１０にはカウント値２７が設定されているが、上記券種パラメータの自動設定によりカウント値３２が設定される。図９はこのようにしてカウント値３２が設定された状態を示す。
【００５９】
上述した例は、券種パラメータの自動設定の一部を示したが、同様の処理によって上述した３２パラメータが設定される。すなわち、追加する券種に伴うパラメータ設定が必要な場合には、操作員が操作表示部１０から追加する（又は変更する）券種番号と券サイズを入力することによって上記３２パラメータが自動的に作成され、必要な動作パラメータエリアに保存される。
【００６０】
以上説明したように本発明の紙葉類処理装置によれば、追加する券種を設定する券種番号と、券サイズを入力することにより券種パラメータが自動的に生成されるため、従来行われていた追加券種に合わせて各デバイスパラメータを個別に設定する必要がなくなり装置の操作性が向上する。
【図面の簡単な説明】
【００６１】
【図１】本発明の実施例１による紙葉類処理装置の外観図。
【図２】図１に示す紙葉類処理装置の概略構成図。
【図３】図２に示す供給部の券幅ガイド及び券長ガイドの動作を説明する正面から見た斜視図。
【図４】図３を背面から見た斜視図。
【図５】図２に示す紙葉類処理装置の券種パラメータの自動設定に関する部分のハードウェア構成を示すブロック図。
【図６】本実施例に係る券種パラメータの自動設定に関し、券幅ガイドモータのパラメータを自動設定する場合の説明図。
【図７】図６に示す券幅ガイドモータのパラメータが設定された状態を示す図。
【図８】本実施例に係る券種パラメータの自動設定に関し、厚み判定データの券長に関するパラメータを設定する場合の説明図。
【図９】図８に示す厚み判定データのパラメータが設定された状態を示す図。
【符号の説明】
【００６２】
Ｐ  紙葉類
Ｐｓ  紙葉類束
１  供給部
１ａ  手前側券幅ガイド
１ｂ  奥側券幅ガイド
１ｃ  券幅ガイドモータ
１ｄ  先端側券長ガイド
１ｅ  後端側券長ガイド
２  取出部
２ａ  バックアッププレート
３  搬送部
４  紙葉類判別手段
５  集積部
５ｆ  リジェクト券集積装置
５ｇ  Ｇ０リジェクト券集積装置
６  結束部
８  ラベル部
１０  操作表示部
２０  主制御部
３０  搬送ＣＰＵ
４０  結束ＣＰＵ
５０  後処理ＣＰＵ
【図１】
0005118423.tif 000002
【図２】
0005118423.tif 000003
【図３】
0005118423.tif 000004
【図４】
0005118423.tif 000005
【図５】
0005118423.tif 000006
【図６】
0005118423.tif 000007
【図７】
0005118423.tif 000008
【図８】
0005118423.tif 000009
【図９】
0005118423.tif 000010